(57)【要約】【課題】非吐出期間中に必要な空吐出量動作を最適化する。【解決手段】液体を吐出するノズル４８、及び該ノズル４９に連通する液室内部の液体への圧力を発生する圧力発生手段４５Ｐを備える１又は複数の液体吐出ヘッド２と、画像を形成するための吐出又は画像形成に寄与しない空吐出として液体を吐出させる駆動波形を圧力発生手段４５Ｐに出力する駆動制御部３Ｋと、記録媒体Ｐに液体を吐出して画像を形成するための元画像データに基づいて、吐出量を計測する計測部４２３と、計測した吐出量に応じて、記録媒体への吐出期間後の空吐出間隔を設定する空吐出設定部４２４と、を備える、液体吐出装置１。【選択図】図７
2020151916.tif 000002
【特許請求の範囲】
【請求項１】
液体を吐出するノズル、及び該ノズルに連通する液室内部の液体への圧力を発生する圧力発生手段を備え、液体を吐出可能な１又は複数の液体吐出ヘッドと、
画像を形成するための吐出又は画像形成に寄与しない空吐出として液体を吐出させる駆動波形を前記圧力発生手段に出力する駆動制御部と、
記録媒体に液体を吐出して画像を形成するための元画像データに基づいて、吐出量を計測する計測部と、
吐出量に応じて、前記記録媒体への吐出期間後の空吐出間隔を設定する空吐出設定部と、を備える
液体吐出装置。
【請求項２】
前記空吐出設定部は、計測した吐出量に応じて、前記記録媒体への吐出期間後の空吐出における空吐出滴数を設定する
請求項１に記載の液体吐出装置。
【請求項３】
吐出量と、空吐出における必要な空吐出滴数及び空吐出間隔の相関関係を記憶する、相関記憶部を備え、
前記空吐出設定部は、少なくとも計測した吐出量に対応する、前記相関記憶部に記憶された相関関係を参照して、前記記録媒体への吐出期間後の空吐出間隔及び空吐出滴数を調整して設定する
請求項２に記載の液体吐出装置。
【請求項４】
１又は２以上の色の液体を吐出する液体吐出ヘッドを複数備えており、
前記計測部は、前記元画像データに基づいて、色毎の吐出量を計測する
請求項１乃至３のいずれか一項に記載の液体吐出装置。
【請求項５】
前記空吐出設定部は、吐出する液体の色毎の物性に応じて、空吐出間隔を設定する
請求項４に記載の液体吐出装置。
【請求項６】
同一の色の液体を吐出する液体吐出ヘッドを複数備えており、
前記計測部は、前記元画像データに基づいて、各液体吐出ヘッド毎の吐出量を計測する
請求項１乃至５のいずれか一項に記載の液体吐出装置。
【請求項７】
前記計測部は、前記記録媒体への吐出期間内に空吐出が発生した場合には、吐出量をリセットし、
前記空吐出設定部は、前記記録媒体への吐出期間内での最後に実施した空吐出以降の吐出量に基づいて、前記記録媒体への吐出期間後の空吐出間隔を設定する
請求項１乃至６のいずれか一項に記載の液体吐出装置。
【請求項８】
記録媒体を搬送する搬送手段と、
前記液体吐出ヘッドを保持し、前記記録媒体の搬送方向に直交する方向に移動する移動部と、
前記移動部の移動範囲において、搬送される前記記録媒体とは異なる部分に設けられる空吐出受けと、
移動される前記液体吐出ヘッドが前記空吐出受けに対向する期間するタイミングであって、所定間隔毎に、前記記録媒体への吐出期間内に空吐出を発生させる空吐出指示を通知する吐出中空吐出タイミング通知部と、を備えている
請求項７に記載の液体吐出装置。
【請求項９】
前記駆動制御部に画像データを送信する上位制御部を備えており、
前記上位制御部は、前記計測部と、前記空吐出設定部と、前記吐出中空吐出タイミング通知部と、前記元画像データに前記空吐出のデータを加えて前記画像データに変換する画像変換部と、を有し、
前記駆動制御部は、前記画像データを基づいて、前記記録媒体に液体を吐出するための液体を吐出させる駆動波形、および空吐出として前記空吐出受けに液体を吐出させる駆動波形を前記圧力発生手段に出力する
請求項８に記載の液体吐出装置。
【請求項１０】
前記液体吐出ヘッドの前記ノズルが形成されたノズル面と対向する位置で、前記記録媒体を加熱する加熱手段を備え、
前記空吐出設定部は、前記記録媒体への吐出期間中の前記加熱手段の加熱温度に基づいて、空吐出間隔を設定する
請求項１乃至９のいずれか一項に記載の液体吐出装置。
【請求項１１】
液体吐出ヘッドの空吐出制御方法であって、
前記液体吐出ヘッドは、液体を吐出するノズル、及び該ノズルに連通する液室内部の液体への圧力を発生する圧力発生手段を備え、
記録媒体に液体を吐出させるための元画像データに基づいて、吐出量を計測する計測ステップと、
計測した吐出量に応じて、前記記録媒体への吐出期間後の空吐出間隔を設定する空吐出設定ステップと、
設定された空吐出間隔で、画像形成に寄与しない空吐出として液体を吐出させる駆動波形を前記圧力発生手段に出力する出力ステップと、有する
液体吐出ヘッドの空吐出制御方法。
【請求項１２】
液体吐出ヘッドの空吐出制御プログラムであって、
前記液体吐出ヘッドは、液体を吐出するノズル、及び該ノズルに連通する液室内部の液体への圧力を発生する圧力発生手段を備え、
記録媒体に液体を吐出して画像を形成するための画像データに基づいて、吐出量を計測する計測処理と、
計測した吐出量に応じて、前記記録媒体への吐出期間後の空吐出間隔を設定する空吐出設定処理と、
設定された空吐出間隔で、画像形成に寄与しない空吐出として液体を吐出させる駆動波形を前記圧力発生手段に出力する出力処理と、をコンピュータに実行させる
液体吐出ヘッドの空吐出制御プログラム。
【発明の詳細な説明】
【技術分野】
【０００１】
本発明は、液体吐出装置、液体吐出ヘッドの空吐出制御方法、及び液体吐出ヘッドの空吐出制御プログラムに関する。
【背景技術】
【０００２】
インクジェット方式の画像形成装置では、非印字時（放置中）に、ヘッドに対してキャッピングを行うことでインクの乾燥や増粘を抑制することが知られている。しかし完全に密閉できるわけではないため、インクを吐出しない状態が長時間続くと、インクの乾燥や増粘により、放置後に印字を行った際にインクの不吐出や印字品質の低下をもたらす場合がある。そこで放置中も一定時間ごとにインクを排出させる空吐出という技術が考えられ既に知られている（例えば、特許文献１）。
【０００３】
このような放置中の空吐出では一定の時間間隔でインクを吐出するものや、温度や湿度などの環境に依存して空吐出間隔を決めており空吐出間隔を決めるための条件が限定的であるため、必要以上にインクを消費したり、逆に必要な空吐出量に達していないという問題があった。
【０００４】
また、特許文献２には、必要な空吐出量を最適化する目的で、インク滴の有無およびインク液滴量に基づいて印字中の空吐出回数を算出するが開示されている。
【発明の概要】
【発明が解決しようとする課題】
【０００５】
しかし、特許文献１の空吐出では印字中の空吐出を最適化するものであって、非印字期間（放置中、非吐出期間）に必要な空吐出量を最適化については検討されていない。
【０００６】
そこで、本発明は上記事情に鑑み、非吐出期間中に必要な空吐出動作を最適化することができる、液体吐出装置の提供を目的とする。
【課題を解決するための手段】
【０００７】
上記課題を解決するため、本発明の一態様では、
液体を吐出するノズル、及び該ノズルに連通する液室内部の液体への圧力を発生する圧力発生手段を備える、１又は複数の液体吐出ヘッドと、
画像を形成するための吐出又は画像形成に寄与しない空吐出として液体を吐出させる駆動波形を前記圧力発生手段に出力する駆動制御部と、
記録媒体に液体を吐出して画像を形成するための元画像データに基づいて、吐出量を計測する計測部と、
計測した吐出量に応じて、前記記録媒体への吐出期間後の空吐出間隔を設定する空吐出設定部と、を備える
液体吐出装置、を提供する。
【発明の効果】
【０００８】
一態様によれば、液体吐出装置において、非吐出期間中に必要な空吐出量動作を最適化することができる。
【図面の簡単な説明】
【０００９】
【図１】本発明の一実施形態に係る画像形成装置のキャリッジ周辺の平面説明図。
【図２】図１の加熱機構及び液体吐出ヘッドの側面概略説明図。
【図３】本発明の液体吐出ヘッドの液室長手方向の断面説明図。
【図４】本発明の実施形態における画像形成制御に係る全体ブロック図。
【図５】図４のコントローラ及び駆動制御基板のハードウェアブロック図。
【図６】本発明の実施形態に係る駆動波形の一例を示す図。
【図７】図４のコントローラ及び駆動制御基板の画像処理に関する機能ブロック図。
【図８】図７の空吐出回数・空吐出間隔決定部の詳細機能ブロック図。
【図９】本発明の実施形態に係る印字・空吐出制御動作のフローチャート。
【発明を実施するための形態】
【００１０】
以下、図面を参照して本発明を実施するための形態について説明する。各図面において、同一構成部分には同一符号を付し、重複した説明を省略する場合がある。
【００１１】
＜全体構成＞
まず、本発明に係る画像形成装置（液体吐出装置）の一例について図１を参照して説明する。図１は、本発明の一実施形態に係る画像形成装置１の概略構成図である。
【００１２】
図１に示す画像形成装置１は広幅シリアル型インクジェット記録装置であり、装置本体の左右の側板２１Ａ，２１Ｂに横架したガイド部材であるメインガイドロッド３１及びサブ板金ガイド３２でキャリッジ３３を摺動自在に保持し、図示しない主走査モータによってタイミングベルトを介して矢示方向（キャリッジ主走査方向Ａ）に移動走査する。
【００１３】
キャリッジ（移動部の一例）３３には、イエロー（Ｙ）、シアン（Ｃ）、マゼンタ（Ｍ）、ブラック（Ｋ）、オレンジ（Ｏ）、グリーン（Ｇ）、クリア（Ｃｌ）、ホワイト（Ｗ）など各色のインク滴を吐出するための液体を吐出するヘッドからなるヘッド群３４ａ，３４ｂ，３４ｃを複数のノズルからなるノズル列を主走査方向と直交する副走査方向に配列し、インク滴吐出方向を下方に向けて装着している。それぞれのヘッドは副走査方向にずれている構成としている。
【００１４】
また、キャリッジ３３にはヘッド群３４に対応して各色のインクを供給するため、サブタンク（不図示）を搭載している。サブタンクには、カートリッジ装填部１１に着脱自在に装着される各色のインクのカートリッジ１０ｙ，１０ｃ，１０ｍ，１０ｋ，１０ｏ，１０ｇ，１０ｃｌ，１０ｗから、供給ポンプユニットによって各色の供給チューブ３６を介して、各色のインクが補充供給される。
【００１５】
またキャリッジ３３上には、媒体Ｐの端部（幅方向端部）を検知する光学センサ３７が設けられている。
【００１６】
キャリッジ３３の下方には、中央には搬送手段と兼用する加熱ヒータ１２０ｂが設けられ、上流側及び下流側には、搬送ガイド板３８（３８ａ，３８ｃ）が設けられている。搬送ガイド板３８ａ，３８ｃ、加熱ヒータ１２０ｂ上の媒体Ｐは、副走査方向（記録媒体搬送方向Ｂ）に搬送される。
【００１７】
さらに、キャリッジ３３の走査方向一方側の非印字領域には、ヘッド群３４のノズルの状態を維持し、回復するための維持回復機構８１を配置している。即ち、維持回復機構８１は、キャリッジ３３の移動範囲において、搬送される媒体Ｐとは異なる部分に設けられる。この維持回復機構８１には、ヘッド群３４の各ヘッド（図３参照）の各ノズル板（ノズル面）４３をキャッピングするための各キャップ８２ａ，８２ｂ，８２ｃが設けられている。なお、キャップ８２ａ，８２ｂ，８２ｃは、リフレッシュのための、画像形成に寄与しない空吐出されたインクを受ける空吐出受けとして機能する。以後、複数のキャップ８２ａ，８２ｂ，８２ｃを合わせて、空吐出受け８２として説明する。
【００１８】
なお、図１では、ヘッド群３４ａ，３４ｂ，３４ｃ及びキャップ８２ａ，８２ｂ，８２ｃは、上方から見て右上がりに配置されているが、上方から見て右下がりに配置されていてもよい。あるいは、３つのヘッドそれぞれが同じ長さに、キャリッジ内に長く延伸していてもよい。
【００１９】
維持回復機構８１には、さらに、ノズル面をワイピングするための払拭ユニット（ワイパーユニット）８３が設けられている。
【００２０】
また、図示していないが、このヘッドの維持回復機構８１の下方側には維持回復動作によって生じる廃液を収容するための交換可能な廃液タンクを備えている。
【００２１】
＜加熱機構の構成＞
次に、図２を用いて、媒体Ｐの加熱位置について説明する。図２は、加熱機構及び液体吐出ヘッドの側面概略説明図である。
【００２２】
画像形成装置１では、媒体Ｐをロール状に巻き回したロール体Ｒから媒体Ｐが供給される。なお、カット紙を使用する構成でもよい。例えば、媒体（記録媒体）Ｐとしては、ロールタイプの用紙以外にも、軟包装メディアと呼ばれるＰＥＴ（Polyethyleneterephthalate）やＰＶＣ（Polyvinyl  chloride）、ＯＰＰ（Oriented  PolyPropylene）等、シート状のメディア等を使用することができる。
【００２３】
媒体Ｐの搬送方向に沿って複数に分割した加熱手段である加熱ヒータ１２０ａ，１２０ｂ，１２０ｃが配置されている。ここでは、加熱ヒータ１２０ａは印字前部分、加熱ヒータ１２０ｂは印字領域部分、加熱ヒータ１２０ｃは印字後部分に配置されている。なお、加熱手段は複数に分割しないで配置することもできるが、複数に分割することで加熱制御を細やかに行うことができる。
【００２４】
本構成では、上流側、下流側の加熱ヒータ１２０ａ，１２０ｃの上方は、湾曲した搬送ガイド３８ａ，３８ｃによって搬送がガイドされている。一方、加熱ヒータ１２０ｂは、液体吐出ヘッド６に対向して搬送される媒体Ｐの案内手段を兼ねている。なお、上流側及び下流側においても、搬送ガイドを設けずに、加熱ヒータ１２０ａ，１２０ｃを湾曲させて、案内手段と兼任させてもよい。
【００２５】
印字後部分の加熱ヒータ１２０ｃに対向して乾燥ファンヒータ１２０ｄを配置して、温風を当てることで、印刷物を確実に乾燥させることができるようにしている。
【００２６】
＜ヘッド内部＞
図３は、記録ヘッド４０の構造を示す概略図である。詳しくは、図３は記録ヘッド４０の液室長手方向に沿う断面説明図である。なお、図３の説明では、記録ヘッド４０を、「ヘッド」と称して説明する。
【００２７】
図３において、キャリッジ３３に設けられるヘッド群３４ａ，３４ｂ，３４ｃに夫々設けられる記録ヘッド４０は、吐出するインクの通路を形成する流路板４１と、流路板４１の下面（記録ヘッド４０の内部方向）に接合された振動板４２と、流路板４１の上面（ヘッド４０の外側方向）に接合されたノズル板４３と、振動板４２の周縁部を保持するフレーム部材４４とを備える。また、ヘッド４０は、振動板４２を変形させるための圧力発生手段４５を有する。
【００２８】
本実施形態に係るヘッド４０は、流路板４１と、振動板４２と、ノズル板４３とを積層することによって、ノズル板４３と同一位置の吐出口４０Ｎであるノズル４８に連通する流路であるノズル連通路４０Ｒ及び液室４０Ｆを形成している。また、ヘッド４０は、フレーム部材４４を更に積層することによって、液室４０Ｆにインクを供給するためのインク流入口４０Ｓ及びインクを液室４０Ｆに供給する共通液室４０Ｃなどを形成している。
【００２９】
また、本実施形態では、フレーム部材４４には、圧力発生手段４５を収納する収容部、共通液室４０Ｃとなる凹部、及び共通液室４０Ｃにヘッド４０外部のカートリッジ１０ｙ，１０ｃ，１０ｍ，１０ｋ，１０ｏ，１０ｇ，１０ｃｌ，１０ｗ（図１参照）のいずれかからインクを供給するためのインク供給口４０ＩＮが形成されている。
【００３０】
圧力発生手段４５は、本実施形態では、電気機械変換素子である圧電素子４５Ｐと、圧電素子４５Ｐを接合固定するベース基板４５Ｂと、隣り合う圧電素子４５Ｐの間隙に配置された支柱部とを備えている。また、圧力発生手段４５は、圧電素子４５Ｐを圧電素子駆動ＩＣ（記録ヘッドドライバ）２４（図４参照）に接続するためのＦＰＣケーブル４５Ｃ等を備えている。
【００３１】
ここで、圧電素子４５Ｐは、圧電材料４５Ｐｐと内部電極４５Ｐｅとを交互に積層した積層型圧電素子（ＰＺＴ）を用いる。内部電極４５Ｐｅは、複数の個別電極４５Ｐｅｉと複数の共通電極４５Ｐｅｃとを有する。内部電極４５Ｐｅは、本実施形態では、圧電素子４５Ｐｐの端面に交互に個別電極４５Ｐｅｉ又は共通電極４５Ｐｅｃを接続している。
【００３２】
以下に、ヘッド４０がノズル孔４８からインクを吐出する動作の１つの方法である引き−押し打ち動作を具体的に説明する。
【００３３】
まず、ヘッド４０において、圧電素子駆動ＩＣ２４が、圧電素子４５Ｐに印加している電圧を基準電位から下げ、圧電素子４５Ｐをその積層方向に縮小させる。また、ヘッド４０は、圧電素子４５Ｐの縮小によって振動板４２を撓み変形させる。このとき、ヘッド４０は、振動板４２の撓み変形によって液室４０Ｆの容積を膨張させる。この動作により、ヘッド４０において、共通液室４０Ｃから液室４０Ｆ内にインクを流入させる。
【００３４】
次に、ヘッド４０において、圧電素子駆動ＩＣ２４は圧電素子４５Ｐに印加している電圧を上げ、圧電素子４５Ｐを積層方向に伸長させる。また、ヘッド４０は、圧電素子４５Ｐの伸長によって、振動板４２をノズル孔４８方向に変形させる。このとき、ヘッド４０では、振動板４２の変形によって、液室４０Ｆの容積を収縮させる。この動作により、ヘッド４０は、液室４０Ｆ内のインクを加圧する。また、ヘッド４０は、インクを加圧することによって、吐出口４０Ｎ（ノズル４８）からインクを吐出（噴射）する。
【００３５】
その後、ヘッド４０において、圧電素子駆動ＩＣ２４は、圧電素子４５Ｐに印加している電圧を基準電位に戻し、振動板４２を初期位置に戻す。このとき、ヘッド４０は、液室４０Ｆの膨張によって液室４０Ｆ内を減圧し、共通液室４０Ｃ内から液室４０Ｆ内にインクを充填する。次いで、ヘッド４０は、ノズル４８のメニスカス面の振動が減衰して安定した後、次のインクの吐出のための動作に移行し、上記の動作を繰り返す。
【００３６】
このように、ヘッド４０は、圧力発生手段４５を用いて、振動板４２を変形（撓み変形）する。これにより、ヘッド４０は、液室４０Ｆの容積を変化させ、液室４０Ｆ内のインクに作用する圧力を変化させることで、ノズル４８から、インクを吐出させる。
【００３７】
なお、本発明を適用可能なヘッドの駆動方法は、上記の例（引き−押し打ち）に限定されるものではない。例えば、ヘッドの駆動方法は、圧電素子４５Ｐに印加する電圧である駆動波形を制御することによって、引き打ち又は押し打ち等を行ってもよい。
【００３８】
さらに、圧力発生手段４５は、発熱抵抗体を用いて液室４０Ｆ内のインクを加熱して気泡を発生させるサーマル型や、液室４０Ｆの壁面に振動板と電極とを対向配置し、振動板と電極との間に発生させた静電力によって振動板を変形させる静電型のものを用いてもよい。
【００３９】
以上により、本実施形態の画像形成装置１は、各色に対して１又は複数のヘッド４０を用いて、１回の媒体Ｐの搬送動作で、画像形成領域の全域に、白黒又はフルカラーの画像を形成する。
【００４０】
＜液体吐出制御＞
図４は、本発明の実施形態の画像形成制御に係る全体ブロック図である。
【００４１】
画像形成装置１において、画像形成制御に係る構成として、コントローラ４と、駆動制御基板３Ｋと、記録ヘッド４０Ｋａと、有する。
【００４２】
図４では、ブラック用の記録ヘッド４０Ｋａの制御に係る構成について示しているが、他の色のヘッドや、同色の他の記録ヘッドについても同様の制御構成を有しているものとする。
【００４３】
なお、本例では、ヘッド毎の制御について示しているが、各ヘッドにおいて、複数のノズル列が形成されている場合、ノズル列毎に図４に示す記録ヘッド４０Ｋａ内の制御を実施してもよい。
【００４４】
コントローラ４は、画像形成装置の主制御部であり、システム全体の制御を司る。コントローラ４は、駆動制御基板３Ｋの上位制御部である。
【００４５】
駆動制御基板３Ｋ及び記録ヘッド４０Ｋａは図１に示すキャリッジ３３内に設けられている。キャリッジ３３内において、駆動制御基板３Ｋと記録ヘッド４０Ｋａとは、ケーブル２９によって、電気的に接続されている。
【００４６】
駆動制御基板３Ｋは、記録ヘッド４０Ｋａ内の圧電素子４５Ｐを駆動するための駆動波形、及び、画像データ信号を生成するための回路を搭載したリジッド基板である。駆動制御基板３は、キャリッジ３３に設けられる各色の１又は複数のヘッドに対して、夫々設けられている。例えば、図１のヘッド群３４ａ，３４ｂ，３４ｃにおいて、それぞれ色に対して複数の記録ヘッド４０Ｋａ，４０ｂ，４０ｃが設けられている場合、１つの駆動制御基板３Ｋは、複数の記録ヘッド４０Ｋａ，４０Ｋｂ，４０Ｋｃで共通で使用される。以下説明の簡略化のため、末尾の符号を説明する場合もある。
【００４７】
記録ヘッド４０Ｋａは、圧電素子４５Ｐを内蔵し、駆動制御基板３Ｋから送信される駆動波形、及び、画像データ信号に応じて圧電素子を駆動することで、媒体Ｐにインク滴を吐出する。
【００４８】
駆動制御基板（駆動制御部の一例）３Ｋは、制御部３１０と、駆動波形生成部３２０とを有する。
【００４９】
制御部３１０は、画像データを元にタイミング制御信号と駆動波形データを生成する。
【００５０】
駆動波形生成部３２０は、生成された駆動波形データをＤＡ変換し、電圧増幅、電流増幅する。
【００５１】
記録ヘッド４０Ｋａは、ヘッド基板２１と、圧電素子支持基板２３と、圧電素子４５Ｐとを有する。図６では、記録ヘッド４０Ｋａを例に示しているが、各色のヘッド群３４ａ，３４ｂ，３４ｃには、夫々、各色に対して複数のヘッドが設けられていてもよい。
【００５２】
ヘッド基板２１には制御部２２が設けられ、圧電素子支持基板２３には圧電素子駆動ＩＣ２４（記録ヘッドドライバ、ヘッド駆動部）が設けられている。なお、本例では、記録ヘッドドライバがＩＣである例を示しているが、圧電素子４５Ｐを夫々駆動するためのヘッドドライバは、圧電素子駆動ＩＣとともに、あるいは駆動素子駆動ＩＣに代えて、駆動回路で構成されてもよい。
【００５３】
駆動制御基板３Ｋの制御部３１０で生成されたタイミング制御信号等のデジタル信号は、ケーブル２９を介して、シリアル通信で、記録ヘッド４０Ｋａに伝送される。そして、ヘッド基板２１上の制御部２２によってデシリアライズされ、圧電素子支持基板２３の圧電素子駆動ＩＣ２４に入力される。
【００５４】
駆動波形生成部３２０によって生成された駆動波形は、ケーブル２９を介して、タイミング制御信号を応じた圧電素子駆動ＩＣ２４のＯＮ／ＯＦＦによって圧電素子４５Ｐに入力される。
【００５５】
駆動制御基板３Ｋの制御部３１０は、画像処理部３３０を有している。画像処理部３３０は、コントローラ４から受け取った画像データや、印字の基準となるライン同期信号ＬＳを基に、画像処理を行い、補正をする。
【００５６】
なお画像処理部３３０は、図４では、駆動制御基板３Ｋの制御部３１０が有する機能として説明したが、画像処理部３３０の機能は、制御部３１０の外であって、例えば、コントローラ４の内部に設けてもよい。
【００５７】
さらに、コントローラ４には、ヒータ１２０を制御するヒータ制御部１２１が接続されている。ヒータ制御部１２１は、加熱温度を設定する。ヒータ制御部１２１は、例えば、印刷対象の印刷モード（速度優先、画質優先、インク節約）や、記録媒体の種類に応じて、加熱温度を設定する。
【００５８】
次に、図５を用いて、コントローラ４及び駆動制御基板３Ｋのハードウェア構成について説明する。図５は、画像形成装置１のコントローラ４及び駆動制御基板３Ｋのハードウェアブロック図である。
【００５９】
図５に示すように、コントローラ４では、ＣＰＵ（Central  Processing  Unit）６１と、ＲＯＭ（Read  Only  Memory）６２と、ＲＡＭ（Random  Access  Memory）６３と、ＮＶ（Non  Volatile:不揮発性）ＲＡＭ６４と、インターフェース（I/F）６５と、ＩＯインターフェース６６とが、メモリバス６７を介して接続されている。なお、メモリバス６７は、複数のバスに分離されていても良い。
【００６０】
また、駆動制御基板３Ｋでは、ＦＰＧＡ５１と、ＲＯＭ５２と、ＲＡＭ５３と、ＮＶＲＡＭ５４と、ＩＯインターフェース５５とが、バス５６を介して接続されている。
【００６１】
同様に、ヒータ制御部１２１では、ＦＰＧＡ７１と、ＲＯＭ７２と、ＲＡＭ７３と、ＮＶＲＡＭ７４と、ＩＯインターフェース７５とが、バス７６を介して接続されている。
【００６２】
コントローラ４において、ＣＰＵ６１は、画像形成装置１全体の制御を司る。ＲＯＭ６２には、各種情報や制御プログラム等が格納される。ＲＡＭ６３は、各種処理が実行されるときに作業領域として使用される。
【００６３】
例えば、ＣＰＵ６１は、ＲＡＭ６３を作業領域として利用して、ＲＯＭ６２に格納された各種の制御プログラムを実行し、画像形成装置１における各種動作を制御するための制御指令を出力する。この際ＣＰＵ６１は、ＦＰＧＡ５１と通信しながら、ＦＰＧＡ５１と協働して画像形成装置１における各種の動作制御を行う。
【００６４】
ＮＶＲＡＭ６４には、装置固有の情報や、更新可能な情報等が格納される。例えば、ＮＶＲＡＭ６４には、キャリッジ３３の移動速度に対応付けられた記録ヘッド４０が空吐出受け８２に対向するタイミング等を予め記憶しておく。
【００６５】
インターフェース６５は、ホストコンピュータ等の外部装置との情報のやり取りを仲介する。ＩＯインターフェース６６は、装置内の各部との情報のやり取りを仲介する。ＩＯインターフェース６６には、駆動制御基板３ＫのＩＯインターフェース５５や、操作パネル等の入出力装置、各種センサ等も接続される。各種センサとは、例えば、キャリッジ３３のホームポジションセンサや、媒体Ｐの位置を検出する紙位置検出センサ、温度や湿度等の機器内環境を検出するセンサ等である。なお、ＮＶＲＡＭ６４は、挿抜可能な形態としても良い。
【００６６】
また、駆動制御基板３ＫのＦＰＧＡ５１は、画像形成に係る画像データ処理やタイミング制御等を行う。例えば、ＦＰＧＡ５１は、ＲＡＭ６３を作業領域として利用して、ＲＯＭ６２に格納された駆動波形を選択し、個別液室１０６内のインクのメニスカス搖動を指示するための制御指令を出力する。この際ＦＰＧＡ５１は、コントローラ４のＣＰＵ６１と通信しながら、ＣＰＵ６１と協働して画像形成装置１における各種の動作制御を行う。
【００６７】
駆動制御基板３ＫのＲＯＭ５２には、共通駆動波形や、空吐出用の波形を予め記憶しておく。
【００６８】
ヒータ制御部１２１は、図２に示した加熱ヒータ１２０ａ，１２０ｂ，１２０ｃと、乾燥ファンヒータ１２０ｄ等で構成されるヒータ（加熱手段）１２０の乾燥温度（加熱温度）及び加熱期間を制御する。
【００６９】
なお、図４、図５では、コントローラ４を画像形成装置１に設ける例を説明したが、コントローラ４の機能の一部又は全部を、画像形成装置１と接続されるコンピュータ（ＰＣ等）２が有していてもよい。その場合、接続されるＰＣ２には、プリンタドライバがインストールされており、このプリンタドライバにより、画像データから、画像形成装置１に送信される記録データが生成される。
【００７０】
＜駆動波形＞
次に、共通駆動波形と、波形選択信号の駆動波形を説明する。図６は、本発明の実施形態に係る駆動波形の一例を示す図である。
【００７１】
駆動波形生成部３２０は画像形成時に、１印刷周期内に、複数の滴サイズの滴形成に寄与する複数の駆動パルス（Ｉ），（ｉｉ），（ｉｉｉ），（ｉｖ）を時系列で含む共通駆動波形を生成して出力する。駆動波形生成部３２０は、ライン同期信号ＬＳに同期して、共通駆動波形の生成が開始される。
【００７２】
共通駆動波形Ｖｐは、吐出動作における１駆動周期内の最終駆動パルスの直後に、液滴を吐出させない程度にメニスカスに変動を与える制振波形（ｖ）も含んでいる。上記駆動パルス（Ｉ），（ｉｉ），（ｉｉｉ），（ｉｖ）及び微調整波形（ｖ）は勾配（傾斜）のある立ち上がり期間、勾配のある立ち下がり期間、及び電位保持期間を有する波形である。
【００７３】
駆動制御基板３Ｋの制御部３１０は、印刷画像に応じた２ビットの画像データ（階調信号０、１）と、クロック信号、ラッチ信号（ＬＡＴ）、波形選択信号（ＭＮ信号）Ｍ０〜Ｍ５を出力する。
【００７４】
制御部３１０が生成する波形選択信号Ｍ０〜Ｍ５は、記録ヘッド４０Ｋａの圧電素子駆動ＩＣ２４のスイッチ手段であるアナログスイッチの開閉を滴毎に指示する２ビット（２値）のデジタル信号である。液滴信号は各滴サイズと少なくとも同数設けられ、Ｍ０は非吐出、Ｍ１は大滴、Ｍ２は中滴、Ｍ３は小滴、Ｍ４は微駆動（搖動用）、Ｍ５は空吐出用に対応する。
【００７５】
制御部３１０は、滴サイズに応じて、共通駆動波形の印刷周期に合わせて選択すべき駆動パルス及び微調整波形の区間の波形要素でＨレベル（ＯＮ）に状態遷移し、非選択時にはＬレベル（ＯＦＦ）に状態遷移させた選択信号を生成する。
【００７６】
圧電素子駆動ＩＣ２４のスイッチは、各圧電素子４５Ｐの選択電極（個別電極）に接続され、駆動波形生成部３２０からの共通駆動波形が入力されている。従って、シリアル転送された画像データ（階調データ）と、波形選択信号Ｍ０〜Ｍ５の結果に応じて圧電素子駆動ＩＣ２４のアナログスイッチがオンにする。アナログスイッチがオンしている期間、共通駆動波形を構成する所要の駆動パルス及び微調整波形等の波形要素が選択されて圧電素子４５Ｐに印加される。
【００７７】
図６において、小滴用波形選択信号Ｍ１は、（ｉｖ）、（ｖ）の期間はＨｉｇｈとなっている。中滴用波形選択信号Ｍ２は、（ｉｉ）、（ｉｖ）、（ｖ）の期間は印加するようにＨｉｇｈとなっている。大滴用波形選択信号Ｍ３は、（ｉｉ）、（ｉｉｉ）（ｉｖ）、（ｖ）の期間は印加するようにＨｉｇｈとなっている。中滴用、大滴用波形選択信号は、複数の駆動パルス（ｉｉ）〜（ｉｖ）で吐出された滴が合体して１滴となる。
【００７８】
また、搖動用選択信号Ｍ４は、（ｉ）の期間のみ印加するようにＨｉｇｈとなっている。振幅の小さい（ｉ）の期間の微駆動波形は、印加してもノズルから吐出しない程度にメニスカスに振動を与えるものであり、これにより、メニスカスの搖動（微駆動）を実現する。
【００７９】
空吐出選択信号Ｍ５は、区間（ｉｉ）〜（ｉｖ）でＯＮ状態になる。これにより、下段に示すように、４つの吐出パルスが選択され、制振パルスは選択されない。この空吐出駆動波形を与えることで、大滴が吐出されるとともに、（ｖ）の制振パルスを選択しないために、区間（ｉｖ）の吐出パルスによる滴吐出後のメニスカス振動が大きくなって、ノズルの周囲へのインクの溢れが形成可能となる。
【００８０】
なお、図６では、空吐出波形は、共通駆動波形に専用の波形が含まれる例を説明したが、空吐出波形として専用の波形を設けずに、大・中・小滴用の波形のいずかを用いて空吐出を行ってもよい。
【００８１】
あるいは、空吐出波形は、共通駆動波形とは別に生成した専用の空吐出波形を、例えば、駆動制御基板３ＫのＲＯＭ５２に予め記憶しておき、空吐出の際に共通駆動波形に代えて、出力してもよい。
【００８２】
＜画像処理ブロック＞
図７は、本発明の実施形態に係るコントローラ４及び駆動制御基板３Ｋの画像処理に関する機能ブロック図である。
【００８３】
本実施形態では、上位側のコントローラ４は、空吐出制御に係る部分として、タイミング通知部４１０及び画像処理部４２０とを有している。
【００８４】
タイミング通知部（吐出中空吐出タイミング通知部の一例）４１０は、図１のキャリッジ３３の移動量を基に予め決められた、記録ヘッド４０が空吐出受け８２に対向するタイミングの所定時間前に空吐出指示を出力する。
【００８５】
コントローラ４の画像処理部４２０は、受け付けた元画像データについて、階調処理、画像変換処理などを行い、各ヘッド（の各ノズル列）に対応付けられた駆動制御基板３Ｋで処理可能な形式の画像データに変換する。そして、画像処理部４２０は、変換後の画像データを、駆動制御基板３Ｋへ出力する。
【００８６】
コントローラ４の画像処理部４２０は、階調処理部４２１、印字期間内空吐出指示部４２２、吐出量カウント部４２３、非印字期間空吐出設定部４２４、及び画像変換部４２５を有している。
【００８７】
階調処理部４２１は、受け付けた多値の元画像データに階調処理を行い、少値の画像データへ変換する。多値の元画像データは、例えば、読み取った、又は送信された原稿の画像そのものに相当する。即ち、元画像データは、媒体Ｐ上に画像を形成するためのデータであり、空吐出のためのデータが含まれない画像データである。
【００８８】
少値の元画像データは、記録ヘッド４０が吐出する液滴の種類（小滴、中滴、大滴、空吐出）に等しい階調数の画像データである。そして、階調処理部４２１は、変換した少値の元画像データを、コントローラ４側ＲＡＭ６３上に所定量保持する。
【００８９】
印字期間内空吐出指示部４２２は、通知タイミングに基づいて、印字期間中の空吐出動作を指示する。詳しくは、タイミング通知部４１０から通知された空吐出受け８２に対向するタイミングで、且つ、所定回数あるいは設定された回数（走査回数）毎あるいは設定された時間毎に、印字期間中の空吐出を実行するように設定する。
【００９０】
また、印字期間中の空吐出動作はヘッド内のノズルに対して、すべてのヘッドに一律に実行してもよいし、あるいは、吐出量カウント部４２３でカウントした吐出量に基づいて、吐出量が少ない色（ヘッド）に対してのみ、空吐出動作を実行してもよい。
【００９１】
吐出量カウント部（計側部の一例）４２３は、少値の元画像データに基づいて、印刷動作における、色毎の吐出量を計測する。なお、各色に対して、複数のヘッドが設けられている場合は、ヘッド毎に吐出量をカウントする。吐出量カウント部４２３は、計測部として機能する。
【００９２】
非印字期間空吐出設定部４２４は、吐出量カウント部４２３で、カウントした色毎の吐出量を基に、空吐出の回数及び空吐出間隔を設定し、コントローラ４側ＲＡＭ６３上に記憶させる。
【００９３】
画像変換部４２５は、コントローラ４側ＲＡＭ６３上の１バンド分の元画像データに、非印字期間、及び印字期間の、空吐出の回数に応じたデータを加えて、所定の画像単位で、変換して画像データDnにする。画像変換部４２５は、変換した画像データDnを、ＩＯインターフェース５５を介して駆動制御基板３Ｋへ出力する。
【００９４】
また、本実施形態では、印字期間内空吐出指示部４２２及び非印字期間空吐出設定部４２４で設定された、空吐出間隔に基づく空吐出タイミングは空吐出指示として、空吐出回数は空吐出回数通知信号として、それぞれ、コントローラ４の画像変換部４２５と、駆動制御基板３Ｋの画像処理部３３０に通知される。
【００９５】
駆動制御基板３Ｋ側の画像処理部３３０の微駆動設定部（搖動設定部の一例）３３１は、コントローラ４から入力される空吐出指示と、画像データとに基づいて、空吐出を行う前や、印刷中のインク非吐出タイミング、あるいは放置中に、ノズル４８におけるインクのメニスカスを搖動させる搖動期間を決定し、搖動期間に、搖動指示信号を出力する。
【００９６】
そして、変換部３３２は、コントローラ４から入力される画像データDnが存在する場合、即ち、各色の記録ヘッド４０のノズル列の各ノズル４８に対する、色毎に階調された画像データが画像形成期間であった場合は、画像データを微駆動に変換せずに、画像データとして、大滴・中滴・小滴・空吐出の選択信号をそのまま指示するように出力する。
【００９７】
さらに、変換部３３２は、コントローラ４から入力される画像データDnが吐出なしであった場合であって、搖動指示信号が出力されている場合は、微駆動の選択信号を出力する。
【００９８】
＜非印字期間の空吐出設定＞
ここで、上位制御装置であるコントローラ４の非印字期間空吐出設定部４２４の詳細を、図８を用いて説明する。図８は、非印字期間空吐出設定部の詳細機能ブロック図である。
【００９９】
非印字期間空吐出設定部４２４は、ランク呼び出し部５０１、ランク・色係数乗算部５０２、空吐出滴数/空吐出間隔設定部５０３、ランク付け相関記憶部５０４、色係数記憶部５０５、及び合計値・空吐出滴数/空吐出間隔相関記憶部５０６を備えている。
【０１００】
ランク付け相関記憶部５０４は、空吐出量を決めるランク表を記憶しておく。ランク表の一例として、表１は、吐出量と、乾燥温度のパラメータのランク表である。
ただし、表１において、吐出量については、Ａ１＞Ａ２＞Ａ３であり、加熱温度については、Ｂ１＜Ｂ２＜Ｂ３であるものとする。
【０１０１】
ランク呼び出し部５０１は、入力された吐出量カウント値（計測値）と、加熱温度を基に、ランク付け相関記憶部５０４を参照して、入力された吐出量カウント値に対応付けられた吐出量のランクと、入力された乾燥温度に対応づけられた加熱温度のランクを呼び出し、ランクの合算であるランク合計値を算出する。
【０１０２】
【表１】
2020151916.tif 000003
なお、表１は一例であって、吐出量のカウント値と、加熱温度の両方をランク付けしている例を示しているが、少なくとも吐出量のカウント値のランクをつけられれば、加熱温度についてはランク付けを省略する構成であってもよい。
【０１０３】
また、色係数記憶部５０５は、色ごとの係数を記憶する。色ごとの係数の一例を表２に示す。表２の係数Ｘは、空吐出間隔あるいは空吐出滴数を決めるパラメータのランク付けであって、インクが乾燥しやすい条件ほど高いランクで、乾燥しにくいほど低いランクである。
【０１０４】
【表２】
2020151916.tif 000004
なお、表２では、ブラック、シアン、マゼンタ、イエロー、ホワイト、クリアの６色に対する色係数を示しているが、装置における使用する色の数に応じて、適宜色係数を設定すると好適である。また、同じ色に対して、異なるインクタンクの大きさで２以上のヘッドが設けられている場合、同じ色に対して色係数を２以上設定してもよい。
【０１０５】
ランク・色係数乗算部５０２は、複数の色それぞれに対して、色係数記憶部５０５で記憶された係数Ｘを呼び出して、ランク呼び出し部５０１で算出されたランク合計値に乗算する。即ち、ランク・色係数乗算部５０２は、表１のランクの合計の値に、表２の色ごとの係数を掛けて、合計値を算出する。
【０１０６】
合計値・空吐出滴数/空吐出間隔相関記憶部（相関記憶部の一例）５０６は、合計値に、空吐出タイミング（間隔）と、空吐出滴数を対応付けた相関表（相関テーブル）を記憶している。表３に相関表の一例を示す。
【０１０７】
【表３】
2020151916.tif 000005
なお表３では、合計値に対して、空吐出タイミング（空吐出間隔）と、空吐出滴数の２つを変数として、空吐出タイミングと、空吐出滴数の両方を同時に選択可能な相関表を示しているが、空吐出タイミング、空吐出滴数のどちらか一方を固定して、他方のみを、吐出量、加熱温度、色に応じて選択される変数として設定してもよい。
【０１０８】
空吐出滴数/空吐出間隔設定部５０３は、合計値・空吐出滴数/空吐出間隔相関記憶部５０６の記憶された相関表を参照して、ランク・色係数乗算部５０２で設定された合計値に対応づけられた、空吐出タイミング・空吐出滴数を選択して設定する。
【０１０９】
このような、ランク呼び出し５０１、ランク・色係数乗算部５０２、空吐出滴数/空吐出間隔設定部５０３による、ランクの呼び出しと、乗算を一定時間ごとに行い、それらの合計値に基づいて空吐出間隔および空吐出滴数を選択する。
【０１１０】
上記の表１を用いた設定により、印字における吐出量が多い程、空吐出間隔が長くなり、且つ、空吐出滴数が少なくなる。このように、画像を形成するための元画像データに基づいたヘッド毎ないし色毎の吐出量を用いて、非印字時の空吐出間隔を調整し、空吐出滴数を選択して設定することにより、非印字期間に必要な空吐出間隔及び空吐出滴数を最適化できる。
【０１１１】
また、表１を用いた設定により、加熱温度が高いほど、空吐出間隔が短くなり、且つ、空吐出滴数を多くなる。上述の図２に示すように、加熱ヒータ１２０ｂは、記録ヘッド４０のノズル４８が形成されたノズル板（ノズル面）４３と対向する位置で、媒体Ｐを加熱する。そのため、図３に示すように記録ヘッド４０のノズル４８の奥に収容されるインクは、加熱ヒータ１２０ｂにより加熱された媒体Ｐから熱を受けるため、その熱が高いほど、収容されているインク固まりやすくなり、空吐出が多く必要になる。したがって、加熱温度を考慮することで、より状況に沿った空吐出によるリフレッシュ設定をすることができる。
【０１１２】
さらに、表２を用いた設定により、乾きやすい色ほど、空吐出間隔が短くなり、且つ空吐出滴数が多くなる。これにより、吐出する液体の色毎の物性に基づいて、空吐出間隔あるいは空吐出滴数を選択することで、インクの色の物性に適した、空吐出が実施できる。
【０１１３】
＜制御手順＞
次に、図９を用いて空吐出動作の制御について説明する。図９は、本発明の実施形態に係る空吐出タイミングの制御フローである。
【０１１４】
まず、Ｓ１で、印刷を開始するための印刷指示を受信する。
【０１１５】
Ｓ２で、印刷モードや、紙の種類に応じて、加熱温度を設定する。
【０１１６】
Ｓ３で、階調処理部４２１は多値の画像データ（元画像データ）を階調処理して少値化する。
【０１１７】
Ｓ４で、少値化した画像データを基に、吐出量カウント部４２３は、ヘッド毎および色毎の吐出量をカウントする。
【０１１８】
Ｓ５で、印字動作を開始すると同時に、ヒータ１２０の加熱を開始する。
【０１１９】
Ｓ６で、印字期間内空吐出指示部４２２からの印字中空吐出指示があった場合は、Ｓ７に進む。印字中空吐出指示は、あらかじめ登録した一定の時間ごとに空吐出するような指示や、一定のスキャン数ごとに印字中空吐出を行う指示等が考えられる。例えば、印字中に、最も吐出しないノズルの非吐出状態が続き、その後吐出する際に、インク滴の状態が詰まりや乾燥等のおそれにより、うまく吐出できないと予想されるタイミングで、印字中空吐出が必要だと判断される期間毎に、印字中吐出指示が出力される。
【０１２０】
Ｓ７では、Ｓ６で印字中空吐出指示が出された場合は、印字中空吐出を実施する。なお、印字中空吐出は、全ヘッド、全色の、全ノズルに対して実行される。
【０１２１】
Ｓ８で、印字開始から空吐出開始時までカウントしていた吐出量（カウント値）を、ゼロにリセットし、Ｓ４に戻って空吐出開始後の印字量再びカウントを始める。
【０１２２】
Ｓ９で、印刷が終了したか判定する。印字が終了するまで、印字のための吐出、記録媒体の加熱を続けながら、吐出量のカウントを継続する。
【０１２３】
Ｓ１０で、印字中空吐出を行わなかった場合の印字開始時からの吐出量のカウント、又印字中空吐出を最後に実施した以降の印字中空吐出以降の吐出量のカウント、を終了する。
【０１２４】
Ｓ１１で、Ｓ１０までにカウントした吐出量カウント値（計測量）と、Ｓ２で設定した加熱温度を基に、印字後の空吐出タイミングと空吐出滴数を算出し、設定する。
【０１２５】
そして、Ｓ１２で設定した空吐出間隔経過後に、Ｓ１３で、設定した空吐出量（空吐出滴数）で、空吐出を実施する。
【０１２６】
Ｓ１２、Ｓ１３の間欠的な空吐出を、Ｓ１４で次の印刷指示が到達するまで、あるいは、Ｓ１５で電源ＯＦＦ、又は省エネモードに突入するまで、続ける。
【０１２７】
Ｓ１５で電源ＯＦＦ、又は省エネモードに突入したら、間欠的な空吐出動作は、終了する。
【０１２８】
このような制御により、本発明では、温度などの環境条件だけでなく、画像データに基づいてヘッド毎ないし色毎の吐出量に基づいて、非印字時の空吐出間隔あるいは空吐出滴数を設定することにより、非印字に必要な空吐出間隔、及び空吐出滴数を最適化することができる。
【０１２９】
以上、好ましい実施の形態について詳説したが、上述した実施の形態に制限されることはなく、特許請求の範囲に記載された範囲を逸脱することなく、上述した実施の形態に種々の変形及び置換を加えることができる。
【０１３０】
例えば、上記実施の形態では、本発明に係る搬送装置を備えた画像形成装置について説明したが、本発明に係る搬送装置は、画像形成装置を含めた液体を吐出する装置に広く適用することができる。
【０１３１】
また、上記例では、キャリッジが搬送方向と直交する方向に移動するシリアル型画像形成装置を本発明の液体吐出装置を適用する例を説明したが、搬送方向と直交する方向の全域に液体を吐出させるライン型の液体吐出ヘッドを用いた画像形成装置において、本発明の液体吐出装置や、液体吐出ヘッドの空吐出制御を適用してもよい。
【０１３２】
ここで、「液体吐出装置」とは、液体吐出部である液体吐出ヘッド又は液体吐出ユニットを備え、液体吐出部を駆動させて、液体を吐出させる装置である。液体を吐出する装置には、液体が付着可能なものに対して液体を吐出することが可能な装置だけでなく、液体を気中や液中に向けて吐出する装置も含まれる。
【０１３３】
この「液体吐出装置」は、液体が付着可能なものの給送、搬送、排紙に係わる手段、その他、前処理装置、後処理装置等も含むことができる。
【０１３４】
又、「液体吐出装置」は、吐出された液体によって文字、図形等の有意な画像が可視化されるものに限定されるものではない。例えば、それ自体意味を持たないパターン等を形成するもの、三次元像を造形するものも含まれる。
【０１３５】
上記「液体が付着可能なもの」とは、液体が少なくとも一時的に付着可能なものであって、付着して固着するもの、付着して浸透するもの等を意味する。具体例としては、用紙、記録紙、記録用紙、フィルム、布等の被記録媒体、電子基板、圧電素子等の電子部品、粉体層（粉末層）、臓器モデル、検査用セル等の媒体であり、特に限定しない限り、液体が付着する全てのものが含まれる。
【０１３６】
上記「液体が付着可能なもの」の材質は、紙、糸、繊維、布帛、皮革、金属、プラスチック、ガラス、木材、セラミックス等液体が一時的でも付着可能であればよい。
【０１３７】
又、「液体」は、インク、処理液、ＤＮＡ試料、レジスト、パターン材料、結着剤、造形液、又は、アミノ酸、たんぱく質、カルシウムを含む溶液及び分散液等も含まれる。
【０１３８】
又、「液体吐出装置」としては他にも、用紙の表面を改質する等の目的で用紙の表面に処理液を塗布するために処理液を用紙に吐出する処理液塗布装置、原材料を溶液中に分散した組成液をノズルを介して噴射させて原材料の微粒子を造粒する噴射造粒装置等がある。
【０１３９】
「液体吐出ユニット」とは、インクジェットヘッド等の液体吐出ヘッドに機能部品、機構が一体化したものであり、液体の吐出に関連する部品の集合体である。例えば、「液体吐出ユニット」は、ヘッドタンク、キャリッジ、供給機構、維持回復機構、主走査移動機構の構成の少なくとも一つを液体吐出ヘッドと組み合わせたもの等が含まれる。
【０１４０】
ここで、一体化とは、例えば、液体吐出ヘッドと機能部品、機構が、締結、接着、係合等で互いに固定されているもの、一方が他方に対して移動可能に保持されているものを含む。又、液体吐出ヘッドと、機能部品、機構が互いに着脱可能に構成されていても良い。
【０１４１】
又、「液体吐出ヘッド」は、使用する圧力発生手段が限定されるものではない。例えば、圧電アクチュエータ（積層型圧電素子を使用するものでもよい。）、発熱抵抗体等の電気熱変換素子を用いるサーマルアクチュエータ、振動板と対向電極からなる静電アクチュエータ等を使用することができる。
【０１４２】
又、本願の用語における、画像形成、記録、印字、印写、印刷、造形等は何れも同義語とする。
【符号の説明】
【０１４３】
１  画像形成装置（液体吐出装置）
２  記録ヘッド（液体吐出ヘッド）
３（３Ｋ）  駆動制御基板（駆動制御部）
４  コントローラ（上位制御部）
３３  キャリッジ（移動部）
３４  ヘッド群
４０（４０Ｋａ，４０Ｋｂ，４０Ｋｃ）  記録ヘッド（ヘッド、液体吐出ヘッド）
４０Ｆ  液室
４５Ｐ  圧電素子（圧力発生手段）
４８  ノズル
８２  空吐出受け
８２ａ，８２ｂ，８２ｃ  キャップ
１２０  ヒータ（加熱手段）
１２０ａ，１２０ｂ，１２０ｃ  加熱ヒータ
１２０ｄ  乾燥ファンヒータ
１２１  ヒータ制御部
２００  画像形成システム
２１０  画像形成部
３３０  駆動制御基板の画像処理部
３３１  微駆動設定部（搖動設定部）
３３２  駆動制御基板の変換部
４１０  タイミング通知部（吐出中空吐出タイミング通知部）
４２０  コントローラの画像処理部
４２１  階調処理部
４２２  印字期間内空吐出指示部
４２３  吐出量カウント部（計測部）
４２４  非印字期間空吐出設定部部（空吐出設定部）
４２５  画像変換部
５０１  ランク呼び出し部
５０２  ランク・色係数乗算部
５０３  空吐出滴数/空吐出間隔設定部
５０４  ランク付け相関記憶部
５０５  色係数記憶部
５０６  合計値・空吐出滴数/空吐出間隔相関記憶部（相関記憶部）
Ｐ  媒体（用紙、記録媒体、対象物）
Ｒ  ロール体
【先行技術文献】
【特許文献】
【０１４４】
【特許文献１】２０１１‐１６１９１０号公報
【特許文献２】２００１−２２５４８５号公報
【図１】
2020151916.tif 000006
【図２】
2020151916.tif 000007
【図３】
2020151916.tif 000008
【図４】
2020151916.tif 000009
【図５】
2020151916.tif 000010
【図６】
2020151916.tif 000011
【図７】
2020151916.tif 000012
【図８】
2020151916.tif 000013
【図９】
2020151916.tif 000014